(57)【要約】【課題】  スイッチカバー内で取り付けるべき相手部品との位置決めをすると共に、相手部品の強度低下を抑えたスイッチの切換操作機構を得る。【解決手段】  クリックばね１６は取付部１６ａの片側にスリット１６ｂを介してクリック部１６ｃが設けられ、倒れ防止部１６ｄを介してスイッチ操作部１６ｅが形成されている。スイッチカバー１４に固定された切換スイッチ１７の下面には被操作端１７ａが設けられ、上面に電気接片が突設され、被操作端１７ａはクリックばね１６の移動平面と直交する方向に突出している。スライド部１５は長孔１４ｄ内に入るつまみ１５ａを有し、ビス１８によりつまみ１５ａの上面にクリックばね１６の取付部１６ａを取り付けている。切換スイッチ１７の側面にはフレキシブルプリント基板１９が接続して設けられ、フレキシブルプリント基板１９の導体は切換スイッチ１７の電気接片に接続されている。【選択図】  図３
2008041439.tif 000002
【特許請求の範囲】
【請求項１】
切換操作部材と、該切換操作部材を挿入する長孔を有するスイッチカバーと、前記切換操作部材に固定し前記切換操作部材に伴って移動するクリックばねと、前記スイッチカバーに固定し被操作端の移動により内部接点を切換える切換スイッチとを備え、前記クリックばねの一部により前記被操作端を係止したスイッチの切換操作機構において、前記被操作端は前記クリックばねの移動平面と直交する方向に突出し、前記切換操作部材により前記クリックばねの移動を介して前記被操作端を移動することを特徴とするスイッチの切換操作機構。
【請求項２】
鏡筒の外周に取り付ける切換操作機構であって、切換操作部材と、前記鏡筒の外周に設けた取付孔に嵌入するガイド壁と前記切換操作部材を挿入する長孔を有するスイッチカバーと、前記切換操作部材に固定し前記切換操作部材に伴って移動するクリックばねと、被操作端の移動により内部接点を切換えると共に、前記ガイド壁の一面に固定した切換スイッチとを備え、前記クリックばねの一部により前記被操作端を係止したスイッチの切換操作機構において、前記被操作端は前記クリックばねの移動平面と直交する方向に突出し、前記切換操作部材による前記クリックばねの移動を介して前記被操作端を移動することを特徴とするスイッチの切換操作機構。
【請求項３】
前記クリックばねは、前記スイッチカバーに設けたクリック溝と共働して、前記被操作端の移動に伴ってクリック感を得ることを特徴とする請求項１又は２に記載のスイッチの切換操作機構。
【請求項４】
前記スイッチカバーの一部に貫通孔を設け、前記切換スイッチの被操作端と前記クリックばねの一部との係止状態を視認できるようにした請求項１に記載のスイッチの切換操作機構。
【請求項５】
請求項１〜４の何れか１つの請求項に記載のスイッチの切換操作機構と、前記スイッチの切換操作機構を保持した鏡筒本体とを有することを特徴とするレンズ鏡筒。
【発明の詳細な説明】
【技術分野】
【０００１】
本発明は、例えば一眼レフカメラ等の交換レンズ鏡筒に好適に取り付け得るスイッチの切換操作機構に関するものである。
【背景技術】
【０００２】
近年のカメラやビデオカメラ等の撮影機器には、オートフォーカス・防振等の機能が具備されており、撮影者がそれらの機能の有効・無効を選択できる切換操作部材を鏡筒の外側に有しているものが多い。
【０００３】
このような切換操作部材を設けるに当り、代表的な従来例として特許文献１に記載の構造が用いられており、図６はその斜視図を示し操作部に対し内側から図示している。金属製のクリックばね１には、取付部１ａを挟んで片側にクリック部１ｂ、他側に横断面コ字形の倒れ防止部１ｃが設けられ、この倒れ防止部１ｃの側壁にスイッチ操作部１ｄが形成されている。
【０００４】
切換スイッチ２には切換接点を内蔵し、直方体状の本体２ａの片面に、被操作端２ｂがクリックばね１の平面方向に突出され、切換スイッチ２の被操作端２ｂはスイッチ操作部１ｄにより係止されている。他面に電気接片２ｃが突設され、電気接片２ｃはフレキシブルプリント基板３の導体に接続されている。合成樹脂製のスイッチカバー４には、クリック溝４ａ、長孔４ｂ、摺動部４ｃが並設されている。長孔４ｂの下側から入り込みクリックばね１を動かすスライド部５は、クリックばね１に固定するつまみ５ａを有し、ビス６によりつまみ５ａの上面にクリックばね１の取付部１ａが固定されている。
【０００５】
この従来例において、操作者がスライド部５を動かして、つまみ５ａを介してクリックばね１を矢印方向に摺動させると、クリックばね１のクリック部１ｂがクリック溝４ａに入り込み、クリック感が与えられる。
【０００６】
クリックばね１の倒れ防止部１ｃはスイッチカバー４の摺動部４ｃ上を接触し、クリック部１ｂにより発生するばね力により、クリックばね１とスライド部５のつまみ５ａの平時の動きを防止する。また、スイッチ操作部１ｄは切換スイッチ２の被操作端２ｂに係止しているので、スライド部５と一体のクリックばね１の摺動によって切換スイッチ２の被操作端２ｂを移動し、切換スイッチ２の内部接点の切換えが可能とされている。この切換スイッチ２の切換状態は、電気接片２ｃに接続されたフレキシブルプリント基板３を介して電気回路に伝達される。
【０００７】
このように従来例においては、クリックばね１の取付部１ａ側に、つまりクリックばね１の移動平面方向に切換スイッチ２の被操作端２ｂが突出され、更にはフレキシブルプリント基板３がクリックばね１と略同一平面上に配列されている。
【０００８】
そのため、スライド部５の摺動方向、厚さ方向の占有寸法を極めて小さいものとすることができ、しかも切換スイッチ２の切換動作が安定している利点がある。
【０００９】
【特許文献１】特開平５−３４７７５号公報
【発明の開示】
【発明が解決しようとする課題】
【００１０】
しかし、切換スイッチ２の被操作端２ｂはクリックばね１の平面方向に向けて、切換スイッチ２から突出されているので、レンズ鏡筒などの円筒形状部品にスイッチカバー４を取り付ける場合に、円周方向に大きな場所を占めることになる。そのため、スイッチカバー４の取り付けるべき相手部品の取付孔も大きくなり、レンズ鏡筒として十分な強度を保持できなくなることがある。また、スイッチカバー４と相手部品との取付位置を決めるガイドがなく、取り付けのための位置出しが困難という問題もある。
【００１１】
本発明の目的は、上述の課題を解消し、大きな場所を占有せず相手部品との位置決めを容易にすると共に、相手部品の強度低下を抑制したスイッチの切換操作機構を提供することにある。
【課題を解決するための手段】
【００１２】
上記目的を達成するための本発明に係るスイッチの切換操作機構の技術的特徴は、切換操作部材と、該切換操作部材を挿入する長孔を有するスイッチカバーと、前記切換操作部材に固定し前記切換操作部材に伴って移動するクリックばねと、前記スイッチカバーに固定し被操作端の移動により内部接点を切換える切換スイッチとを備え、前記クリックばねの一部により前記被操作端を係止したスイッチの切換操作機構において、前記被操作端は前記クリックばねの移動平面と直交する方向に突出し、前記切換操作部材により前記クリックばねの移動を介して前記被操作端を移動することにある。
【００１３】
また、本発明に係るスイッチの切換操作機構の技術的特徴は、鏡筒の外周に取り付ける切換操作機構であって、切換操作部材と、前記鏡筒の外周に設けた取付孔に嵌入するガイド壁と前記切換操作部材を挿入する長孔を有するスイッチカバーと、前記切換操作部材に固定し前記切換操作部材に伴って移動するクリックばねと、被操作端の移動により内部接点を切換えると共に、前記ガイド壁の一面に固定した切換スイッチとを備え、前記クリックばねの一部により前記被操作端を係止したスイッチの切換操作機構において、前記被操作端は前記クリックばねの移動平面と直交する方向に突出し、前記切換操作部材による前記クリックばねの移動を介して前記被操作端を移動することにある。
【発明の効果】
【００１４】
本発明に係るスイッチの切換操作機構によれば、取付面積を小さくでき、取り付けるべき部材に対する位置決めが容易になり、部品強度の低下を抑えることができる。
【００１５】
また、切換スイッチの取付後のクリックばねとの係合が確認し易く、組立ミスを発見し易い。更に、位置決め部とスイッチ取付部を簡単なガイド部形状で実現可能であり、プラスチック成型による型構造で製作できる。
【発明を実施するための最良の形態】
【００１６】
本発明を図１〜図５に図示の実施例に基づいて詳細に説明する。
図１はレンズ鏡筒の外観斜視図を示し、鏡筒本体であるレンズ鏡筒１１の周囲には外装環１２が設けられ、マウント１３を介してレンズ交換が可能な一眼レフカメラ等に取り付けている。外装環１２には、スイッチカバー１４を介してレンズの光軸方向に手動で操作するスライド部１５が設けられている。
【００１７】
図２はレンズ鏡筒１１の内観斜視図であり、外装環１２の内側の取付孔１２ａにスイッチカバー１４、スライド部１５を備えた切換操作機構が取り付けられている。取付孔１２ａの光軸と平行な外装環１２の側面１２ｂと側面１２ｃが位置決め壁となり、それぞれスイッチカバー１４のガイド壁１４ａ、１４ｂを案内して、切換操作機構の取付位置を決定している。
【００１８】
図３は切換操作機構の斜視図、図４は他の方向から見た切換操作機構の斜視図である。クリックばね１６は取付部１６ａの片側にスリット１６ｂを介してクリック部１６ｃが設けられ、更に倒れ防止部１６ｄを介してスイッチ操作部１６ｅが形成されている。
【００１９】
スイッチカバー１４に固定された切換スイッチ１７の下面には被操作端１７ａが設けられ、上面に電気接片１７ｂが突設され、被操作端１７ａはクリックばね１６の移動平面と直交する方向に突出している。また、スイッチカバー１４には、更にクリック溝１４ｃ、長孔１４ｄが設けられている。
【００２０】
スライド部１５は長孔１４ｄ内に入るつまみ１５ａを有し、図５に示すようにビス１８はつまみ１５ａの上面にクリックばね１６の取付部１６ａを取り付ける。切換スイッチ１７の側面にはフレキシブルプリント基板１９が接して設けられ、フレキシブルプリント基板１９の導体は切換スイッチ１７の電気接片１７ｂに接続されている。
【００２１】
スイッチカバー１４に設けたガイド壁１４ａ、１４ｂは、レンズ鏡筒１１に切換操作機構を取り付ける厚み方向に延在されている。特に、ガイド壁１４ｂは切換スイッチ１７の位置を決める位置決め突起１４ｆ及び切換スイッチ１７を接着するための接着面１４ｇを有している。
【００２２】
このような構成により、スライド部１５のつまみ１５ａがレンズ鏡筒１１の光軸方向に所定寸法移動して、クリックばね１６を図３の矢印方向に摺動させると、クリック部１６ｃがクリック溝１４ｃに入り込みクリック感を発生する。そして、クリック部１６ｃによって発生するばね力により、クリックばね１６とスライド部１５のつまみ１５ａの余分な動きを防止する。
【００２３】
また、スイッチ操作部１６ｅは切換スイッチ１７の被操作端１７ａを係止しており、スライド部１５と一体のクリックばね１６の摺動によって切換スイッチ１７の接点の切換えを行う。この切換スイッチ１７の接点切換状態は、電気接片１７ｂに接続されたフレキシブルプリント基板１９を介して、図示しない電気回路に伝えられる。
【００２４】
ガイド壁１４ｂの一部には貫通孔１４ｈが設けられており、切換スイッチ１７の被操作端１７ａとスイッチ操作部１６ｅとの係合状態を確認できる。このため組立時のミスにより、被操作端１７ａがスイッチ操作部１６ｅと係合していないような場合でも、貫通孔１４ｈを介して直ちに確認できるようにされている。
【００２５】
このように、本実施例ではクリックばね１６の移動平面と直交する方向に、切換スイッチ１７の被操作端１７ａが突出されている。また、レンズ鏡筒１１への取付方向に延在するガイド壁１４ａ、１４ｂに切換スイッチ１７を固定することで、切換操作機構の占める周方向の幅、ガイド壁１４ａ、１４ｂの間隔を小さくできる。即ち、相手部品である外装環１２に設けた取付孔１２ａを小さくすることが可能で、レンズ鏡筒１１としての強度低下を抑えることができる。また、被操作端１７ａとスイッチ操作部１６ｅの係合を確認しながら組み込めるため、確実な切換えが可能となる。
【００２６】
以上の説明では、本発明の好ましい実施例について説明したが、本発明はこれらの実施例に限定されないことは云うまでもなく、その要旨の範囲内で種々の変形及び変更が可能である。
【図面の簡単な説明】
【００２７】
【図１】レンズ鏡筒の外観斜視図である。
【図２】レンズ鏡筒の内観斜視図である。
【図３】切換操作機構の斜視図である。
【図４】切換操作機構の別方向から見た斜視図である。
【図５】要部断面図である。
【図６】従来例のスライドスイッチの斜視図である。
【符号の説明】
【００２８】
１１  レンズ鏡筒
１２  外装環
１２ａ  取付孔
１３  マウント
１４  スイッチカバー
１４ａ、１４ｂ  ガイド壁
１４ｃ  クリック溝
１４ｄ  長孔
１４ｆ  位置決め突起
１４ｇ  接着面
１４ｈ  貫通孔
１５  スライド部
１５ａ  つまみ
１６  クリックばね
１６ａ  取付部
１６ｃ  クリック部
１６ｄ  倒れ防止部
１６ｅ  スイッチ操作部
１７  切換スイッチ
１７ａ  被操作端
１７ｂ  電気接片
１８  ビス
１９  フレキシブルプリント基板
【図１】
2008041439.tif 000003
【図２】
2008041439.tif 000004
【図３】
2008041439.tif 000005
【図４】
2008041439.tif 000006
【図５】
2008041439.tif 000007
【図６】
2008041439.tif 000008